(57)【要約】【課題】納骨室が石塔中に設けられる型の墓において、見栄えと水はけの良い墓の基礎を安価に造ることを可能ならしめる、基礎石材を提供する。【解決手段】単一の石からなる略直方体状で、上面が中央の平面１ａと左右２つの曲面１ｂ，１ｂからなり、該平面１ａは底面と平行であって、該曲面１ｂは外に湾曲しつつ該平面１ａから左右両端に向けて徐々に低くなっていることを特徴とする、墓の基礎石材であって、墓の区画の全域を覆うように基礎コンクリート上に載置して用い、平面１ａ上に石塔を置いて墓を造る。該基礎石材によると、少ない労力で基礎工事を行うことができ、目地が無く重厚な外観の基礎を得ることができる。曲面１ｂ，１ｂを有することから、水はけも良い。該基礎石材の厚みは、強度や造成の容易さ等の観点から、全ての部位において５〜１０ｃｍであることが望ましい。【選択図】図１
0003127351.tif 000002
【実用新案登録請求の範囲】
【請求項１】
単一の石からなる略直方体状で、上面が中央の平面と左右２つの曲面からなり、該平面は底面と平行であって、該曲面は外に湾曲しつつ該平面から左右両端に向けて徐々に低くなっていることを特徴とする、墓の基礎石材。
【請求項２】
全ての部位において、厚みが５〜１０ｃｍであることを特徴とする、請求項１に記載の墓の基礎石材。
【考案の詳細な説明】
【技術分野】
【０００１】
本考案は、納骨室が石塔中に設けられる型の墓において、区画基礎工事に使用される石材に関する。
【背景技術】
【０００２】
墓を造る際、まず、その墓の区画の基礎工事を行う必要がある。墓は、納骨室が石塔中に設けられる型と、地下に設けられる型に大別されるが、本考案は前者の型の墓に関する。
【０００３】
石塔中に納骨室を設ければ良いことから、地下には何ら空間を作る必要はなく、所定の区画内にほぼ平坦な基礎を造る。従来、基礎工事にはコンクリートが用いられてきたが、コンクリートのみでは見栄えが悪いため、その上に張石を行うことも多かった。張石には、通常、厚み約３ｃｍ以下で各辺の長さが約３０ｃｍ〜約９０ｃｍの、御影石や閃緑岩等で作られた板状石材を用い、基礎コンクリートの上面に接着剤で貼り付ける。
【０００４】
しかしながら、張石を用いると、基礎に目地ができてしまい見栄えが悪く品格に欠ける印象を与えていた。接着剤が、長年の使用の間に劣化し、変色して目地の色調が変わって見栄えを悪くしたり、張石がはがれる要因となったりしていた。また、張石には、反りや凹凸等の形状の個体差または厚みの個体差があり、張石後の基礎に段差を生じてしまい、墓参者がつまずく要因となり、見栄えも悪くしていた。
【０００５】
更には、張石の作業には熟練工が必要であり、且つ多くの労力を必要としていた。特に、水はけを良くするためには、予め基礎コンクリートの上面を緩やかな斜面とし、その上に張石を行う複雑な工程が必要であった。上記の事情により、多くの時間と労力を要することから、基礎工事に多額の費用が掛かっていた。
【０００６】
水はけが良くて耐寒性及び耐水性等の耐久性に優れ、施工方法を単純化でき、且つ優れた外観を得るための墓石基部は開示されている（例えば、特許文献１参照）。コンクリートで形成された基礎と、基礎上に、所定の高さを有し、平面的に閉じた枠状に形成された枠体と、枠体の全周で支持され、枠体内側の全体を覆うように一枚の石材によって設けられ、上面に玉砂利等が入る凹部が形成された蓋石板と、枠体の上面と蓋石板の下面との間に配され、蓋石板の自重によって挟圧されて、両者間をシールするコーキング材とを具備する構成である。
【０００７】
【特許文献１】特開２０００−２２０３２３号公報
【考案の開示】
【考案が解決しようとする課題】
【０００８】
しかしながら、上記特許文献１に記載される墓石基部は、複雑な形状の蓋石材を必要とする。該蓋石材の加工には、多くの労力と時間を要し、安価に製作できない。また、該蓋石材の上面凹部に玉砂利等を敷き詰めて水が溜まることを防ぐとされるが、当然のことながら如何に玉砂利等が敷かれたにせよ凹部に水が溜まることを防げるものではなく、該蓋石材は水はけが悪い。
【０００９】
更には、コンクリートで基礎を形成した後、複数の枠体を載置し、コーキング材を配し、蓋石材を載置するという多段階の複雑な手順で基部を造らねばならない。そのため、背景技術に記載した従来の工法よりも、更に多くの時間と労力を要し、基礎工事のために甚大な費用を必要とする。
【００１０】
特許文献１記載の墓石基部は、基礎コンクリート，蓋石板及び複数の枠石で納骨室が形成されるから、地下に納骨室を設ける型の墓の代用となるものであり、地面を掘って地下納骨室を造る必要が無いという点では確かに斬新なものである。しかし、石塔中に納骨室を有する型の墓に適用するならば、墓の造成に際して無意味に時間と労力を要するだけのものでしかない。
【００１１】
本考案はこれらの問題点を解決することを課題とする。すなわち、納骨室が石塔中に設けられる型の墓において、見栄えと水はけの良い墓の基礎を安価に造ることを可能ならしめる、基礎石材を提供することである。
【課題を解決するための手段】
【００１２】
上記課題を解決するために、本考案の請求項１記載の墓の基礎石材は、単一の石からなる略直方体状で、上面が中央の平面と左右２つの曲面からなり、該平面は底面と平行であって、該曲面は外に湾曲しつつ該平面から左右両端に向けて徐々に低くなっていることを特徴としている。
【００１３】
本考案の基礎石材は、それ自体が基礎として、換言すると土台として用いられるものであり、従来用いられてきた張石とは根本的に異質のものである。墓の区画の幅と奥行に合わせて予め加工した該石材を、区画の全域を覆うように、基礎コンクリート上に載置して用いる。一枚の石からなる基礎が得られるから、その上に、墓石を安定に載置することが可能となる。
【００１４】
本考案の基礎石材を用いると、従来張石によって生じていた表面の目地は一切無くなり、長年の使用によって変色した接着剤が目地から露出することも無い。張石の形状や厚みの個体差による段差も生じない。本考案の基礎石材を用いると重厚な石造りの外観を与え、張石に比べ、格段に見栄えを良くすることができる。
また、熟練工を必要としていた張石の工程を省略でき、簡便な方法で基礎工事を行えるから、労力を抑えることが可能である。
【００１５】
本考案の上面中央は平面であり、石塔を安定して置くのに適切な形状となっている。該平面から左右両端に向けて、徐々に低くなる曲面が設けられている。本考案には、該曲面以外に一切凹凸が存在せず、水はけの良い基礎を得ることができる。
【００１６】
請求項２に記載の考案は、全ての部位において、厚みが５〜１０ｃｍであることを特徴とする、請求項１に記載の墓の基礎石材である。
【００１７】
本考案の基礎石材は、その上に石塔，墓誌，灯ろう等を置いて用いるために強度が要求されるが、最も薄い部分でも５ｃｍ以上の厚みを持つから、十分に高い強度が達成される。一方、厚みが１０ｃｍを超えないため、墓参者がつまずかない程度の段差に抑えることができる。厚みが１０ｃｍを越えると、個々の石材が重くなってしまい、墓を造る際に必要以上の人員を要してしまう恐れもある。
また、５ｃｍ〜１０ｃｍの厚みは、作業者がつかみ易い範囲であることから、墓の造成時に安全に持ち運びし易く、運搬中に該石材を落として損傷することを防ぐことができ、作業の効率化と歩留りの向上に寄与する。そのため、安価に墓を提供することができる。
【考案の効果】
【００１８】
本考案の請求項１に記載の墓の基礎石材は、左右に曲面を有するため、水はけが良く、雨が降っても水が溜まり難い。目地や段差が無くなり、重厚な外観を持つ基礎を造ることができ、見栄えを良くすることができる。また、熟練工を必要としていた張石の工程を省略でき、簡便な方法で基礎工事を行えるから、労力を抑え、安価に基礎を造ることが可能となる。
【００１９】
請求項２に記載の考案は、石塔，墓誌，灯ろう等を置くのに十分な強度を達成すると共に、墓参者がつまずき難い段差を与える。墓の造成に際して作業者がつかみ易い厚みを有することから、運搬中に該石材を落として損傷することを避けることができ、作業の効率化と歩留りの向上に寄与する。そのため、安価な墓を提供することが可能となる。
【考案を実施するための最良の形態】
【００２０】
以下に、本考案を実施するための最良の形態を、実施例を示す図面を参照して詳細に説明する。尚、本実施例に、本考案は限定されるものではない。
【実施例１】
【００２１】
図１は、本考案に石塔を載置した状態を表す斜視図である。図２は、図１のＩ−Ｉ線間における断面図である。図３は、本考案の実施例を示す斜視図である。図１及び図２の石塔は、根太石，骨堂，蓋石，上台及び石柱からなるものとして記載するが、本考案は基礎石材に関わるものであり、これらに限定されるものではない。
【００２２】
本考案に係る墓の基礎石材１は、図３に示されるように、単一の石からなる略直方体状で、上面が中央の平面１ａと左右２つの曲面１ｂ，１ｂからなり、該平面１ａは底面と平行であって、該曲面１ｂは外に湾曲しつつ該平面１ａから左右両端に向けて徐々に低くなっている。基礎石材１の材質としては、御影石や閃緑岩等の、一般的に墓石に使用される材質を用いる。予め、墓の区画の幅と奥行を計測し、それに合わせて加工する。通常は、該区画の全域を覆うよう、基礎コンクリート３と等しい幅と奥行に加工するが、デザイン上の要求から、コンクリート基礎３より外周を約３ｃｍ〜約１０ｃｍ程度小さく加工しても良い。基礎石材１の全ての辺と角は、面取りされていることが好ましい。
【００２３】
図１及び図２に示すように、基礎石材１を、基礎コンクリート３上に載置して固定する。基礎石材１と基礎コンクリート３の固定の手段は問わないが、接着剤やモルタル等が好適に用いられる。固定された基礎石材１の上に、石塔２を初めとする墓石を設置して、墓を造る。
【００２４】
基礎石材１の上面中央には、平面１ａが形成されている。底面と平行であるため、その上に石塔を安定に設置するのに適する。
【００２５】
平面１ａから、左右両端に向かって徐々に低くなる曲面１ｂ，１ｂが形成されている。曲面１ｂは、平面１ａから左右両端に向けて徐々に低くなっていて、該曲面によって墓の水はけを良くすることができる。
【００２６】
該曲面１ｂの高低差は、平面１ａとの境界線と左右両端との間で、１／３００〜１／１００であることが好ましい。ここで、高低差１／３００との表記は、幅または奥行の長さ３ｍに対して１ｃｍの高低差があることを表し、高低差１／１００との表記は同様に幅または奥行の長さ１ｍに対して１ｃｍの高低差があることを表す。良好な水はけを達成するためのものであるが、水はけのためには１／３００以上の高低差があれば十分である。曲面１ｂ上には、外柵，墓誌，灯ろう等を置くことがあるが、１／１００を超える高低差は急過ぎ、それらを置くのに適さない。
【００２７】
本考案の基礎石材を用いると、張石を用いる工法に比べ、労力を抑えることができる。例えば、幅２．２ｍで奥行３ｍの区画に対して基礎工事を行った際、２人が３日間作業を行い完成した。幅と奥行が等しい区画に対して、張石を用いる工法を行った場合、３名の人員で、４〜５日の日数を要した。
【実施例２】
【００２８】
図４は、本考案の別の実施例を示す斜視図である。
【００２９】
一般的な墓の区画は、幅と奥行が、共に１ｍ〜３ｍである。しかし、例えば奥行が３ｍを超えるような、広い区画を有する墓も存在する。このような場合、該区画の基礎を、一枚の石材で造ることは現実的でない。一辺３ｍを超える石材は、大き過ぎるために加工が難しく、運搬に大型の車両を要し、設置にも多くの人員を必要とする。
【００３０】
したがって、墓の区画が広い場合、図４に示すように、本考案の基礎石材を複数用い、互いに隣接させて載置することも可能である。加工，運搬及び設置のし易い、例えば幅と奥行が何れも１ｍ〜３ｍの石材を複数用いることで、本考案の効果が発揮される。複数の基礎石材の間に目地ができることは避けられないが、張石を用いる工法に比べると格段に少なく、見栄えが良い基礎を得ることができる。
【００３１】
尚、複数段からなる墓の基礎が要望されることがあるが、区画の全域を覆うように載置した基礎石材１の平面１ａ上に、幅の狭い別の基礎石材１を重ねて用いることで、その要望に応えることも可能である。
【比較例１】
【００３２】
図５は、本考案の比較例を示す斜視図である。
【００３３】
図５に記載の基礎石材１’は、石材の厚みが、奥から手前に向けて徐々に小さくなる構造であって、上面全体が手前に向けて徐々に低くなる傾斜を有する。この手前に向けて徐々に低くなる傾斜のため、基礎石材１’は、基礎石材１よりも更に水はけが良くなる。
この傾斜は、平面１ａにおいて、高低差１／３００〜１／１００の範囲にあることが望ましい。水はけのためには１／３００以上の高低差があれば十分であり、石塔を初めとする墓石を安定に置くためには１／１００を超えないことが望ましいからである。
【比較例２】
【００３４】
図６は、本考案の、別の比較例を示す斜視図である。
【００３５】
本考案を実施するに当たり、図３に示す基礎石材１に僅かに手を加え、例えば図６に記載の基礎石材１”の形状とすることができる。基礎石材１”は、基礎石材１を加工して、中央前方斜面１ｃを形成したものである。中央前方斜面１ｃは、平面１ａから手前端に向けて徐々に低くなる斜面である。該中央前方斜面１ｃは、平面に限られず曲面でも良く、平面１ａとの境界から手前端に向けて１／３００〜１／１００の高低差を持つ。
中央前方斜面１ｃによって、基礎石材１”は、基礎石材１に比べて手前中央の水はけが良くなる。墓参時に通る部分であり、墓参者に不快感を与えない。
【図面の簡単な説明】
【００３６】
【図１】本考案に石塔を載置した状態を示す斜視図である。
【図２】図１のＩ−Ｉ線間における断面図である。
【図３】本考案の実施例を示す斜視図である。
【図４】本考案の、別の実施例を示す斜視図である。
【図５】本考案の比較例を示す斜視図である。
【図６】本考案の、別の比較例を示す斜視図である。
【符号の説明】
【００３７】
１  基礎石材
１’  基礎石材
１”  基礎石材
１ａ  平面
１ｂ  曲面
１ｃ  中央前方斜面
２  石塔
３  基礎コンクリート
２１  根太石
２２  骨堂
２３  蓋石
２４  上台
２５  石柱
２６  納骨室
【図１】
0003127351.tif 000003
【図２】
0003127351.tif 000004
【図３】
0003127351.tif 000005
【図４】
0003127351.tif 000006
【図５】
0003127351.tif 000007
【図６】
0003127351.tif 000008